(57)【特許請求の範囲】
【請求項１】
コイン投入口から投入されたコインにより上方へ押し上げられる、下方側への付勢力を有するコインキャッチと、
前記コインキャッチにより押圧されてコインが保持されるコイン保持部と、
コイン保持部にコインが保持された状態で、鍵穴に差し込まれた鍵が回転して施錠状態とする施錠部材と、
コイン保持部に保持されたコインの側面に当接し、コインをコイン保持部と連通したコイン落下路へ落下させる、前記施錠部材と連動する作動カムと、
前記落下したコインを受けとめるコイン受け部と、
を備え、
前記コイン受け部にコインが収納された状態で、解錠したとき、前記作動カムが作動板を上方へ押し上げ、押し上げられた作動板に軸支されたコイン受け部が揺動してコインを外部へ突き出し可能としたことを特徴とするコイン投入型錠装置。
【発明の詳細な説明】
【０００１】
【産業上の利用分野】
本発明は、ロッカー等の錠装置に使用されるコイン投入型錠装置に関するものである。
【０００２】
【従来の技術】
従来、ロッカーなどに取り付けられたコイン投入型錠装置は、ロッカーの枠側にコイン投入口並びにコイン受取口を設け、ロッカーの扉側に錠を差し込む鍵穴等を設けたものが一般的である。
しかし、このような従来の錠装置であると、既に設置されているロッカーなどへ後から錠装置を取り付ける場合には多大な労力とコストを要するものとなり、かつ非常に取り付けが面倒であるとの課題があった。
【０００３】
【発明が解決しようとする課題】
本発明は、前記従来の課題を解決するために創案されたものであり、すでに設置されたロッカーなどに後から簡単に取り付けることができ、さらにその取り付けも簡単で、コストも安価なコイン投入型錠装置を提供することを目的とするものである。
【０００４】
【課題を解決するための手段】
上記目的を達成するために本発明に係るコイン投入型錠装置は以下のように構成されている。
すなわち、本発明によるコイン投入型錠装置は、コイン投入口から投入されたコインにより上方へ押し上げられる、下方側への付勢力を有するコインキャッチと、前記コインキャッチにより押圧されてコインが保持されるコイン保持部と、
コイン保持部にコインが保持された状態で、鍵穴に差し込まれた鍵が回転して施錠状態とする施錠部材と、
コイン保持部に保持されたコインの側面に当接し、コインをコイン保持部と連通したコイン落下路へ落下させる、前記施錠部材と連動する作動カムと、
前記落下したコインを受けとめられるコイン受け部と、
を備え、
前記コイン受け部にコインが収納された状態で、解錠したとき、前記作動カムが作動板を上方へ押し上げ、押し上げられた作動板に軸支されたコイン受け部が揺動してコインを外部へ突き出し可能としたことを特徴とする。
【０００５】
【作用】
本発明では、コイン投入口から投入されたコインにより、下方側への付勢力を有するコインキャッチが上方へ押し上げられる。
すると、前記コインキャッチにより押圧されてコインがコイン保持部に保持される。
【０００６】
そして、コイン保持部にコインが保持された状態で、鍵穴に鍵を差し込み、回転させて施錠状態とすると、作動カムがコイン保持部に保持されたコインの側面に当接し、コインをコイン落下路へ落下させる。
前記落下したコインはコイン受け部に受けとめられた状態で、解錠操作が出来、解錠すると、作動カムが作動板を上方へ押し上げ、押し上げられた作動板に軸支されたコイン受け部が揺動してコインを外部へ突き出す。
【０００７】
【実施例】
以下、図に基づいて本発明の好適な実施例を説明する。
先ず図１は本発明によるコイン投入型錠装置を使用したロッカーの全体図である。次いで、図２は本発明による錠装置の鍵の部分の拡大図、図３は図２の平断面図、図４はコイン収納ケースの分解斜視図、図５は本発明による錠装置の解錠時の縦断面図、図６は図５のＡ−Ａ断面図、図７はコイン挿入時の状態を示す概略図、図８は施錠時の状態を示す概略図、図９は図７のキー回転時における断面図、図１０は図８の断面図、図１１は解錠時の状態図、図１２は図１１の断面図である。
【０００８】
先ず図４を参照して本発明を説明する。図４において、符号１は錠ケースを示す。
該錠ケース１の前面側にはコイン投入口２およびコイン出口３が設けられている。
さらにこの錠ケース１の上方側面には長穴４が設けられ、この長穴４にはコインキャッチ５の突起６が上下方向に揺動可能に係止する。
【０００９】
前記コインキャッチ５はケースの上部において下側に付勢力を有するスプリング７を介して取り付けられている。
さらにコインキャッチ５の係止片８には作動板９の係止部１０が係止するように構成されており、コインキャッチ５が上下動すると共に作動板９も上下動し得るよう構成されている。
【００１０】
この作動板９の上下動は錠ケース１の縦穴１１に作動板９の突片１２がはまり込んで前記作動板９の上下動をガイドするように構成されている。
さらに作動板９の下方ではコイン受け部１３が回動可能に軸支されており、作動板９の上下動と共にコイン受け１３がコイン出口より外側へ突出したり内部へ退出したりするよう構成されている。
【００１１】
なお、図４において両側の錠ケース１、１を組み合わせたときにできる空間はコイン投入口２から投入されたコイン１４落下路１５として形成されることになる。
図２は鍵部分の拡大図を示すものであり、図中波線で示すものは鍵穴１６に差し込まれた鍵により施錠状態、解錠状態とし得る施錠部材１７である。
【００１２】
ところで図３から理解されるように、鍵穴１６に差し込まれた鍵により軸１８が回動するが、この軸１８には前記施錠部材１７と作動カム１９が一体となって取り付けられており、軸１８が回転すると共に施錠部材１７と作動カム１９とが一緒に回動し得るよう構成されている。
ここで図６はコイン１４を投入しない前の状態、すなわち施錠ができない状態を示しており、この図６から理解されるように、コイン１４を投入しないで鍵を施錠しようとすると、作動カム１９の作動片２０がコインキャッチ５の側面２１に当接し、これ以上鍵が回転出来ない様に構成されている。
【００１３】
よってコイン１４を投入しなければ施錠できないこととなる。
しかし図５、図７のようにコイン１４を投入すると、先ず図７から理解されるようにコイン１４はコイン保持部２２に保持される。
コイン保持部２２にコイン１４が保持されると、コイン１４からの押圧により下方側への付勢力を有するコインキャッチ５が上方へ移動し、図９から理解されるように、コインキャッチ５の側面２１が上方に移動するため作動カム１９の作動片２０が当接せずに回転できるものとなる。
【００１４】
この作動カム１９の作動片２０が回転すると、図９から理解されるようにその作動片２０がコイン保持部２２に保持されているコイン１４の側面に当接しコイン１４は作動片２０に押されて横に移動すると共に自重によりコイン落下路１５において下側に落下する。
その状態を図１０に示す。
【００１５】
また図１０は施錠状態が完了したことを示す図であり、図１０から理解されるように施錠部材１７は水平方向に位置して施錠状態となるものである。この状態で鍵を抜けばコイン１４は錠ケース１内のコイン受け部１３内に止まり、かつロッカー等は施錠される。その状態を図８に示す。
次に本発明による錠装置の解錠操作について説明すると、先ず鍵穴１６に鍵を差し込み図１２の矢印Ａ方向に回転させる。すると作動カム１９も同様に矢印Ａ方向に回転することになる。
【００１６】
すると、作動カム１９の第２作動片２３が、作動板９の切り欠き上端２４を押し上げることにより、作動板１９自体を上方に揺動させる。
そして、作動板１９に軸支されているコイン受け部１３は中心軸部２５を回転軸として回動し、コイン１４は図１１の波線の位置から実線の位置まで移動し、コイン１４をコイン出口３の外側に突き出すことが可能となっている。
【００１７】
よって解錠操作が終了したときには、コイン１４はコイン出口３の外に突き出され、操作者はこのコイン１４を受け取ることができる。
そしてコイン１４を受け取った後はコインキャッチ５が下側の付勢力を有するスプリング７により下側に移動する。
これにより、作動板９も下方に移動し、もってコイン受け部１３も中心軸部２５を中心に回転し、錠ケース１内にコイン受け部１３が収納される。
【００１８】
【発明の効果】
本発明は以上の構成よりなる。
そして本発明によるコイン投入型錠装置によれば、すでに設置されたロッカー等の扉に後付けでコイン投入型錠装置を取り付けることができ、もって、取り付けのコストを大幅に安価にし得ると共に簡単迅速に取り付けできる。
【００１９】
さらにこれらを一体物として構成すれば、大量生産が可能となりさらにコストを引き下げることができる。
【図面の簡単な説明】
【図１】本発明を応用したロッカーの全体説明図である。
【図２】本発明による錠装置における鍵の部分拡大説明図である。
【図３】図２の平断面図である。
【図４】コイン収納ケースの分解斜視図である。
【図５】コイン投入時の縦断面図説明図である。
【図６】図５のＡ−Ａ線断面図である。
【図７】コインの挿入状態を示す説明図である。
【図８】施錠時の状態を示す説明図である。
【図９】施錠操作を示す説明図である。
【図１０】施錠操作の状態を示す説明図である。
【図１１】解錠してコインが出口より現れた状態を示す説明図である。
【図１２】解錠状態を示す断面説明図である。
【符号の説明】
１  錠ケース
２  コイン投入口
３  コイン出口
４  長穴
５  コインキャッチ
６  突起
７  スプリング
８  係止片
９  作動板
１０  係止部
１１  縦穴
１２  突片
１３  コイン受け部
１４  コイン
１５  落下路
１６  鍵穴
１７  施錠部材
１８  軸
１９  作動カム
２０  作動片
２１  側面
２２  コイン保持部
２３  第２作動片
２４  切り欠き上端
２５  中心軸部
【図１】
0003568600.tif 000002
【図２】
0003568600.tif 000003
【図３】
0003568600.tif 000004
【図４】
0003568600.tif 000005
【図５】
0003568600.tif 000006
【図６】
0003568600.tif 000007
【図７】
0003568600.tif 000008
【図８】
0003568600.tif 000009
【図９】
0003568600.tif 000010
【図１０】
0003568600.tif 000011
【図１１】
0003568600.tif 000012
【図１２】
0003568600.tif 000013